(57)【要約】【課題】ボディとカバーの結合を容易に行う。【解決手段】カバー３をボディ２の前面に沿って長手方向にスライド移動させることでボディ２とカバー３を結合して器体１が組み立てられる。ケーブル６０が導出される側のボディ２の長手方向一端側の前面にケーブル仮保持部９が設けられる。ケーブル６０をケーブル仮保持部９に仮保持することでケーブル６０の動きを規制することができるから、ボディ２とカバー３を結合する際にケーブル６０を手に持ってケーブル挿通孔５に位置あわせする必要が無く、従来例に比べてボディ２とカバー３の結合を容易に行うことができる。【選択図】        図１
2005093389.tif 000002
【特許請求の範囲】
【請求項１】
モジュラプラグが挿入されるプラグ挿入口が一面に設けられた器体を備え、壁面のような施工面に露出した形で設置される露出形モジュラジャックにおいて、施工面に固定されるボディと、該ボディ前面に沿ってスライド移動することで前記ボディに係合して被着されるカバーとで前記器体が構成され、モジュラプラグの接触子と接触するコンタクトに接続されるとともに前記器体の他の一面に開口する挿通孔を通して外部へ導出されるケーブルを仮保持するケーブル仮保持部が設けられ、該ケーブル仮保持部は、前記カバーのスライド移動する方向に導出するように前記ケーブルを仮保持することを特徴とする露出形モジュラジャック。
【請求項２】
前記ケーブル仮保持部は、前記ケーブルを周方向に覆うとともに前記ボディ前面に沿った側方に開口した形状を有し、該開口から前記ケーブルが挿入されることを特徴とする請求項１記載の露出形モジュラジャック。
【請求項３】
前記ボディ前面より前方へ突出し、前記ケーブルが前記開口から挿入される際に乗り越える突起を備えたことを特徴とする請求項２記載の露出形モジュラジャック。
【請求項４】
複数の前記プラグ挿入口が器体の一面に設けられ、前記ケーブル仮保持部は、前記ケーブルを周方向に覆うとともに前記ボディ前面と対向する前方に開口した形状を有し、前記複数のプラグ挿入口に挿入された個々のモジュラプラグに対応する複数の前記ケーブルを纏めて仮保持することを特徴とする請求項１記載の露出形モジュラジャック。
【請求項５】
前記ケーブルを縛って固定する紐状の固定バンドが挿通される一対の挿通口がボディ前面に設けられ、前記一対の挿通口の間隔を前記ケーブルの直径よりも広くしたことを特徴とする請求項１〜４の何れかに記載の露出形モジュラジャック。
【請求項６】
前記挿通口と前記ケーブルとの間における前記ボディ前面に前方へ突出して前記固定バンドをガイドするガイドリブがそれぞれ設けられたことを特徴とする請求項５記載の露出形モジュラジャック。
【請求項７】
前記固定バンドは、弾性を有する紐状に形成され、一端部には他端部が挿通される挿通孔が設けられ、該挿通孔の内周面に突設されたロック爪と係合する多数の係合突起が長手方向に列設されてなり、前記ボディの固定バンドと対向する部位に前記係合突起を係止する係止部が設けられたことを特徴とする請求項５又は６記載の露出形モジュラジャック。
【発明の詳細な説明】
【技術分野】
【０００１】
本発明は、壁面のような施工面に露出した形で設置される露出形モジュラジャックに関するものである。
【背景技術】
【０００２】
従来より、モジュラプラグが挿入されるプラグ挿入口が一面に開口した器体と、モジュラプラグの接触子と接触するコンタクトに接続されるとともに前記器体の他の一面に開口する挿通孔を通して外部へ導出されるケーブルとを備え、施工面に固定されるボディと、前記挿通孔の少なくとも一部が設けられて前記ボディに被着されるカバーとで前記器体が構成され、壁面のような施工面に露出した形で設置される露出形モジュラジャックが提供されている（特許文献１参照）。ここでボディとカバーの結合には、ボディの前面の四隅に突設された組立突片の外側面に係合孔がそれぞれ形成され、カバーの内周面における各組立突片の係合孔に対向する部位に突設された組立爪を嵌合することでボディに対してカバーを結合する構造が採用されている。
【０００３】
このような露出形モジュラジャックは、例えば、床下から引き出されたケーブル（電話用のケーブルやＬＡＮ用のケーブルなど）が接続されて壁面や机の側板あるいは脚などの施工面に固定されるが、ケーブルに人の脚が引っ掛かることがあるため、脚が引っ掛かった際にケーブルを介してボディ及びカバーにかかる衝撃荷重（およそ３０〜１００Ｎ）に耐え得るだけの結合強度が必要とされる。つまり、ボディとカバーの結合強度が充分でないと内部のコンタクトとケーブルとの接続部位に衝撃荷重が直接加わり、最悪の場合にはコンタクトとケーブルの接続が外れてしまうという事態が生じるので、このような事態が生じないようにボディとカバーの結合強度を強くする必要がある。
【０００４】
そこで本出願人は、図１１に示すようにボディ２の前面と隙間を空けて対向し且つケーブル挿通孔５からの導出方向と略平行に延長された複数のレール部１１，１１がボディ２に設けられ、カバー３をボディ２の前面に沿ってスライド移動させたときにレール部１１と係合した状態で隙間Ｇ内を移動する係合片（図示せず）がカバー３に設けられた露出形モジュラジャックを提案している。すなわち、この露出形モジュラジャックでは、ケーブル６０の導出方向と直交する方向におけるボディ２とカバー３の結合強度がレール部１１と係合片の係合によって確保され、しかも、ボディ２に対してカバー３をスライド移動することでボディ２とカバー３を容易に結合することができるから、ボディ２とカバー３の組立性を低下させずに両者の結合強度を確保することが可能である。
【特許文献１】特開２００２−１３４２３３号公報
【発明の開示】
【発明が解決しようとする課題】
【０００５】
ところが本出願人が提案している従来例においては、一端部でモジュラジャックブロック３０に接続されてはいるもののケーブル６０が自由に動き得るため、ボディ２とカバー３を結合する際にケーブル６０を手に持ってカバー３のケーブル挿通孔５に位置あわせした状態でボディ２の前面に被せたカバー３をスライド移動させる必要があり、ボディ２とカバー３の結合が容易に行い難いものであった。
【０００６】
本発明は上記事情に鑑みて為されたものであり、その目的は、ボディとカバーの結合を容易に行うことができる露出形モジュラジャックを提供することにある。
【課題を解決するための手段】
【０００７】
請求項１の発明は、上記目的を達成するために、モジュラプラグが挿入されるプラグ挿入口が一面に設けられた器体を備え、壁面のような施工面に露出した形で設置される露出形モジュラジャックにおいて、施工面に固定されるボディと、該ボディ前面に沿ってスライド移動することで前記ボディに係合して被着されるカバーとで前記器体が構成され、モジュラプラグの接触子と接触するコンタクトに接続されるとともに前記器体の他の一面に開口する挿通孔を通して外部へ導出されるケーブルを仮保持するケーブル仮保持部が設けられ、該ケーブル仮保持部は、前記カバーのスライド移動する方向に導出するように前記ケーブルを仮保持することを特徴とする。
【０００８】
この発明によれば、ケーブル仮保持部に仮保持することでケーブルの動きを規制するから、ボディとカバーを結合する際にケーブルを手に持って挿通孔に位置あわせする必要が無く、従来に比べてボディとカバーの結合を容易に行うことができる。
【０００９】
請求項２の発明は、請求項１の発明において、前記ケーブル仮保持部は、前記ケーブルを周方向に覆うとともに前記ボディ前面に沿った側方に開口した形状を有し、該開口から前記ケーブルが挿入されることを特徴とする。
【００１０】
この発明によれば、ボディ前面に沿った側方の開口からケーブルを挿入してケーブル仮保持部に仮保持させることができ、しかも、ボディ前面に対向する方向にはケーブル仮保持部でケーブルが覆われているから、ケーブルがカバーの方へ引っ張られたときのカバーに対する引っ張り強度が向上する。
【００１１】
請求項３の発明は、請求項２の発明において、前記ボディ前面より前方へ突出し、前記ケーブルが前記開口から挿入される際に乗り越える突起を備えたことを特徴とする。
【００１２】
この発明によれば、ケーブルが突起を乗り越える際にクリック感を与え、ケーブルが確実にケーブル仮保持部に仮保持されたことを感触で知らしめることができる。
【００１３】
請求項４の発明は、請求項１の発明において、複数の前記プラグ挿入口が器体の一面に設けられ、前記ケーブル仮保持部は、前記ケーブルを周方向に覆うとともに前記ボディ前面と対向する前方に開口した形状を有し、前記複数のプラグ挿入口に挿入された個々のモジュラプラグに対応する複数の前記ケーブルを纏めて仮保持することを特徴とする。
【００１４】
この発明によれば、ケーブル仮保持部により複数のケーブルを纏めて仮保持でき、ケーブルが複数ある場合でもボディとカバーの結合を容易に行うことができる。
【００１５】
請求項５の発明は、請求項１〜４の何れかの発明において、前記ボディを前方から後方へ貫通し、前記ケーブルを縛って固定する紐状の固定バンドが挿通される一対の挿通口がボディ前面に設けられ、前記一対の挿通口の間隔を前記ケーブルの直径よりも広くしたことを特徴とする。
【００１６】
この発明によれば、固定バンドを用いてケーブルをボディに固定することができ、しかも、固定バンドを挿通する一対の挿通口の間隔をケーブルの直径よりも広くしているため、固定バンドがケーブルと接触する範囲を狭めて固定バンドを締め付けたときのケーブルの変形を抑制することができる。
【００１７】
請求項６の発明は、請求項５の発明において、前記挿通口と前記ケーブルとの間における前記ボディ前面に前方へ突出して前記固定バンドをガイドするガイドリブがそれぞれ設けられたことを特徴とする。
【００１８】
この発明によれば、ガイドリブを設けたことで固定バンドのケーブルとの接触範囲がさらに狭まり、固定バンドを締め付けたときのケーブルの変形をさらに抑制することができる。
【００１９】
請求項７の発明は、請求項５又は６の発明において、前記固定バンドは、弾性を有する紐状に形成され、一端部には他端部が挿通される挿通孔が設けられ、該挿通孔の内周面に突設されたロック爪と係合する多数の係合突起が長手方向に列設されてなり、前記ボディの固定バンドと対向する部位に前記係合突起を係止する係止部が設けられたことを特徴とする。
【００２０】
この発明によれば、係合突起が係止部に係止されることで挿通孔への挿通方向における固定バンドの動き（空回り）が規制されるから、空回りによる固定バンドのゆるみが防止できる。
【発明の効果】
【００２１】
本発明によれば、ケーブル仮保持部に仮保持することでケーブルの動きを規制するから、ボディとカバーを結合する際にケーブルを手に持って挿通孔に位置あわせする必要が無く、従来に比べてボディとカバーの結合を容易に行うことができるという効果がある。
【発明を実施するための最良の形態】
【００２２】
以下、図面を参照して本発明の実施形態を詳細に説明する。
【００２３】
（実施形態１）
図１は本実施形態の露出形モジュラジャックを示す分解斜視図である。この露出形モジュラジャックは、器体１の中にモジュラジャックブロック３０を収納して構成される。器体１は合成樹脂材料により直方体状に形成されるものであり、壁面などの施工面に背面（図１における下面）を対向させる形で固定されるとともに前面（図１における上面）側にモジュラジャックブロック３０が装着されるボディ２と、ボディ２及びモジュラジャックブロック３０の前面側を覆う形でボディ２に着脱自在に結合されるカバー３とで構成される。
【００２４】
モジュラジャックブロック３０は、合成樹脂のような絶縁材料によって形成されたジャック本体３１を備え、ジャック本体３１の正面（図１における左側面）にはモジュラプラグが挿入されるプラグ挿入口３２が開口し、ジャック本体３１の前面（図１における上面）には８個の圧接端子（図示せず）を具備する端子部３３が露出する。また、ジャック本体３１のプラグ挿入口３２内には、ばね材料よりなる互いに独立した複数本（６本あるいは８本）の線状乃至細帯状のコンタクト１８が保持され、各圧接端子とコンタクト１８とは電気的に接続されている。一方、圧接端子は被覆電線を圧入したときに絶縁被覆を破って内部導体を接触させる圧接スリットを備えた略Ｙ字形のものであって周知の形状に形成される。また圧接端子は、後述するようにモジュラジャックブロック３０をボディ２の嵌合凹部８に嵌合させた状態でジャック本体３１の前面に露出して左右２列に並ぶように配置され、圧接スリットはジャック本体３１の前面（図１における上面）側に臨んで開放される。したがって、後述するケーブル挿通孔５を通して器体１の中に導入されたケーブル６０の各被覆電線は、圧接端子に接続されることによってコンタクト１８に接続される。圧接端子に被覆電線を接続した状態では、各被覆電線は器体１の長手方向におけるケーブル挿通孔５が開口する一端面に対向するジャック本体３１の側面から導入された形になる。また、ジャック本体３１において圧接端子が露出する部位には、電線止め３４が嵌着される。ジャック本体３１に電線止め３４を嵌着した状態では、圧接スリットに圧入された被覆電線を電線止め３４で押さえることができ、被覆電線の圧接スリットからの抜け止めを行うようになっている。
【００２５】
ボディ２の長手方向一端側（図１における左側）における両端部には前方へ突出する幅細の正面壁６，６が突設され、これら一対の正面壁６，６の間にシャッタブロック７が配設される。シャッタブロック７は扁平な矩形状に形成されて中央に矩形の開口窓７ｂを有する本体７ａと、開口窓７ｂを開閉自在に閉塞する２枚の扉体２２，２３とで構成される。シャッタブロック７の開口窓７ｂに対応する部位でボディ２の前面側にはモジュラジャックブロック３０が嵌合する嵌合凹部８が形成され、嵌合凹部８に嵌合されてボディ２に取り付けられたモジュラジャックブロック３０のプラグ挿入口３２にシャッタブロック７の開口窓７ｂを通してモジュラプラグが挿入されることになる。また、ボディ２の短手方向における嵌合凹部８の両側にはそれぞれボス部２０が形成され、各ボス部２０にはボディ２を前後に貫通する取付孔２１がそれぞれ形成される。
【００２６】
シャッタブロック７の扉体２２，２３は、前後方向（図１における上下方向）に移動自在且つ前方へ弾性付勢された状態で本体７ａに保持されて開口窓７ｂを開閉自在に閉塞している。一方の扉体２２の前端縁には開口窓７ｂを通して外部に露出する操作片２２ａが突設されており、操作片２２ａに対して後方に移動する向きの力を加えることにより２枚の扉体２２，２３が後方に移動して開口窓７ｂを開き、開口窓７ｂを通してプラグ挿入口３２が露出するようになっている。なお、このようにして開口窓７ｂを開閉する構造は従来周知であるから詳細な説明は省略する。
【００２７】
カバー３は背面（図１における下面）が開放された直方体状に形成され、モジュラジャックブロック３０が装着された状態のボディ２の前面側を覆っている。カバー３の長手方向一端側（図１における左側）の周壁には短手方向全長に渡る開口部４が設けられ、長手方向他端側（図１における右側）の周壁にはケーブル６０を挿通するためのケーブル挿通孔５が設けられている（図２参照）。また、カバー３の前面における開口部４近傍には、プラグ挿入口３２の接続先の系統を識別するためのカラーチップ４０が取り付けられる取付凹所３ａが設けられている。カラーチップ４０は合成樹脂成型品からなり、上記識別のために着色されている。
【００２８】
ここで、上述した器体１を施工面に固定する手段は、基本的には２種類が用意されている。すなわち、木質壁などの施工面に対しては、ボディ２のボス部２０に設けた取付孔２１を通して木ねじを施工面に螺合させればよい。一方、施工面がスチール製である場合（例えば、事務机などに取り付ける場合）には、ボディ２の背面に着脱自在に取り付けられるマグネット４１を施工面に磁着させればよい。
【００２９】
次に、本実施形態におけるボディ２とカバー３の結合構造について説明する。但し、この結合構造は図１１に示した従来例と共通である。
【００３０】
図１に示すように、ボディ２の前面における長手方向に沿った両端部の正面壁６寄りの部位には、カバー３が被さる被着面（前面）と隙間Ｇを空けて対向し且つケーブル６０のケーブル挿通孔５からの導出方向（器体１の長手方向）と略平行に延長されたレール部１１がそれぞれ前方（図１における上方）へ突設されている。このレール部１１は、ボディ２の前面から前方へ突出する平板状の主片１２と、主片１２の前端縁よりボディ２の外側に向けて突出する係合突片１３とを有する鈎形に形成されている。
【００３１】
一方、カバー３の長手方向に沿った両端部の内側面には、カバー３をボディ２の前面に沿って長手方向にスライド移動させたときにレール部１１の係合突片１３と係合した状態で隙間Ｇ内を移動する係合片（図示せず）がそれぞれ設けられている。
【００３２】
したがって、係合片が係合突片１３と重ならないようにしてボディ２の前面にカバー３を被せた状態でボディ２の正面壁６に近付く向き（以下、「装着向き」という）にカバー３をスライド移動させれば、ボディ２の前面と係合突片１３との隙間Ｇに係合片が進入し、係合突片１３と係合片が係合することでボディ２にカバー３を装着して両者を結合することができる（図２参照）。また、カバー３をボディ２から取り外すには、カバー３を装着向きと逆向き（以下、「反装着向き」という）にスライド移動させて係合突片１３と係合片の係合状態を解除することにより、カバー３をボディ２から取り外すことができる。
【００３３】
また本実施形態では、カバー３をスライド移動させてボディ２の前面に被着した状態でロックされ、器体１の前後方向並びに短手方向に沿ってボディ２の前面からカバー３が離脱するのを防ぐロック手段がボディ２とカバー３に設けてある。このロック手段は、カバー３に設けられた一対のロック用突部と、ボディ２に設けられ、カバー３をスライド移動させたときに一対のロック用突部と各別に嵌合する一対のロック用嵌合部１６とからなる。
【００３４】
ロック用突部は、図示は省略するがケーブル挿通孔５が設けられたカバー３の長手方向一端側の周壁に長手方向内向きに突出する形で、ケーブル挿通孔５を挟む位置よりそれぞれ突設されている。ロック用嵌合部１６は、ケーブルが導出される側のボディ２の長手方向一端側の前面から前方へ突設されるとともに、ボディ２の長手方向外向きに開口するロック用嵌合孔１６ａが形成されている（図５参照）。
【００３５】
而して、ボディ２の前面に被せた状態でカバー３を装着向きにスライド移動すれば、カバー３のロック用突部がボディ２のロック用嵌合部１６に形成されているロック用嵌合孔１６ａと嵌合する。したがって、ボディ２とカバー３はレール部１１（係合突片１３）と係合片の係合だけでなくロック用突部とロック用嵌合部１６（ロック用嵌合孔１６ａ）との嵌合によっても結合されるから、器体１の前後方向及び短手方向におけるボディ２とカバー３の結合強度を強くすることができる。
【００３６】
ところで、ケーブル６０が導出される側のボディ２の長手方向一端側の前面には、一対のロック用嵌合部１６に挟まれる形でケーブル仮保持部９が設けられ、さらにボディ２の前面におけるケーブル仮保持部９と嵌合凹部８との間にはケーブル６０をケーブル仮保持部９に案内するガイド部１０が設けられている。ケーブル仮保持部９は、ケーブル６０を周方向に覆うとともにボディ２の前面に沿った側方に開口した形状（略鈎形）に形成され、開口からケーブル６０を挿入して仮保持するものである。ガイド部１０はボディ２の前面より前方へ突設され、ボディ２の長手方向に沿った両端縁には半円筒形のガイドリブ１０ａが設けられており、ガイドリブ１０ａの間を通してケーブル仮保持部９にケーブル６０を案内するものである。ここで、図５に示すようにガイド部１０のケーブル仮保持部９に近い側の端部においては、ガイドリブ１０ａよりもさらに前方へ突出する突起１４が設けられている。従って、開口からケーブル仮保持部９内にケーブル６０を挿入する場合にケーブル６０が突起１４を乗り越える際にクリック感を与えることができるから、ケーブル６０が確実にケーブル仮保持部９に仮保持されたことを感触（クリック感）で知らしめることができる。
【００３７】
上述のように本実施形態では、一端側がモジュラジャックブロック３０のコンタクトに接続されたケーブル６０をケーブル仮保持部９に仮保持することでケーブル６０の動きを規制することができるから、図４に示すようにボディ２とカバー３を結合する際にケーブル６０を手に持ってケーブル挿通孔５に位置あわせする必要が無く、従来例に比べてボディ２とカバー３の結合を容易に行うことができるものである。また、ケーブル仮保持部９はその前方（図１における上方）が塞がれた形状に形成されているから、ボディ２とカバー３を結合した状態において、ケーブル６０がカバー３の方へ引っ張られたときのカバー３に対する引っ張り強度が向上するという利点がある。
【００３８】
ところで、ボディ２の前面におけるガイド部１０が設けられた部位には、図６に示すようにボディ２を前方から後方へ貫通し、ケーブル６０を縛って固定する紐状の固定バンド（図示せず）が挿通される一対の挿通口１５が、ケーブル６０の導出方向に沿ったガイド部１０の両側面とボディ２の前面に跨る形で設けられている。固定バンドは、例えば、弾性を有する紐状に形成され、一端部には他端部が挿通される挿通孔が設けられ、挿通孔の内周面に突設されたロック爪と係合する多数の係合突起が長手方向に列設されてなる、いわゆるインシュロックタイからなる。すなわち、挿通口１５に挿通した固定バンドをケーブル６０の周囲に巻回して締め付けることでケーブル６０がボディ２（ガイド部１０）に固定されるから、ケーブル６０が引っ張られた場合にケーブル６０の各被覆電線とコンタクト１８の接続部位にはたらく張力を緩和することができるものである。但し、固定バンドでケーブル６０を締め付けると、被覆電線（ツイストペア線）に過度の圧力が加えられて線間容量などが変化し、伝送性能が劣化してしまう場合があるので、本実施形態においては一対の挿通口１５の間隔をケーブル６０の直径よりも広くし、固定バンドがケーブル６０と接触する範囲を狭めて固定バンドを締め付けたときのケーブル６０の変形を抑制するようにしている。さらに本実施形態では、ガイド部１０の両端縁に突設されたガイドリブ１０ａで固定バンドをガイドすることにより、固定バンドとケーブル６０の接触範囲を一層狭めて固定バンドを締め付けたときのケーブル６０の変形をさらに抑制するようにしている。
【００３９】
ここで、ボディ２の挿通口１５への挿通方向に固定バンドが不用意に動いて（空回りして）ゆるみが生じてしまう虞があるため、図７に示すようにボディ２の固定バンドと対向する部位であるガイド部１０の背面において挿通口１５に臨む両端縁に係合突起を係止する係止部１７が設けてある。この係止部１７は後方へ突出する直方体状の突起からなり、その端縁で係合突起を係止することにより固定バンドの空回りを規制してゆるみの発生を防いでいる。
【００４０】
（実施形態２）
実施形態１は器体１に１個のモジュラジャックブロック３０を収納した、いわゆる１個口タイプのものであるが、本実施形態は器体１に２個のモジュラジャックブロック３０を収納した２個口タイプのものである。但し、少なくとも実施形態１の構成要素と機能が共通するものについては同一の符号を付して説明を省略する。
【００４１】
図８および図９に示すように、ボディ２はケーブル６０の導出方向に直交する幅方向の寸法が実施形態１に比べておよそ倍になっており、その幅方向に並設された２つの嵌合凹部８にそれぞれモジュラジャックブロック３０が嵌合固定され、さらに正面側の端部において、各モジュラジャックブロック３０のプラグ挿入口３２に対向する位置にはシャッタブロック７がそれぞれ取り付けられている。
【００４２】
ボディ２前面の後面側における幅方向中央部にはガイド部１０や挿通口１５が設けられ、さらにガイド部１０と各モジュラジャックブロック３０との間にケーブル仮保持部１９が設けられている。本実施形態におけるケーブル仮保持部１９は、隣り合う２つの側面が開放する略角筒状であってガイド部１０の両端縁の近傍に各々突設されている一対の筒状体１９ａからなり、ケーブル６０を周方向に覆うとともにボディ２の前面と対向する前方（図９における上方）に開口した形状となっており、各モジュラジャックブロック３０と接続された２本のケーブル６０を一対の筒状体１９ａ，１９ａで仮保持し、ガイド部１０を通してケーブル挿通孔５より導出する。このように本実施形態では、複数のケーブル６０を一対の筒状体１９ａ，１９ａからなるケーブル仮保持部１９で纏めて仮保持でき、ケーブル６０が複数ある場合でもボディ２とカバー３の結合を容易に行うことができるものである。
【００４３】
（実施形態３）
本実施形態は、器体１に４個のモジュラジャックブロック３０を収納した４個口タイプのものであるが、少なくとも実施形態１又は２の構成要素と機能が共通するものについては同一の符号を付して説明を省略する。
【００４４】
図１０に示すように、ボディ２はケーブル６０の導出方向に直交する幅方向の寸法が実施形態１に比べておよそ４倍になっており、その幅方向に並設された４つの嵌合凹部８にそれぞれモジュラジャックブロック３０が嵌合固定され、さらに正面側の端部において、各モジュラジャックブロック３０のプラグ挿入口３２に対向する位置にはシャッタブロック７がそれぞれ取り付けられている。また、ボディ２前面の後面側における幅方向中央部にはガイド部１０が設けられ、ガイド部１０と各モジュラジャックブロック３０との間に一対の筒状体１９ａ，１９ａからなるケーブル仮保持部１９が設けられている。さらにボディ２前面の幅方向に対向する両側壁の後面側にもそれぞれガイド部１０と鈎形のケーブル仮保持部９が設けられている。なお、ケーブル仮保持部９，１９と対向するボディ２の両側縁および後縁には、薄肉の板状部であるノックアウト部２４がそれぞれ立設されており、カバー３にはノックアウト部２４と対応する切り欠き２５が設けられている。ノックアウト部２４は薄肉部を破ることによってモジュラジャックブロック３０に接続されたケーブル６０を導出するケーブル導通孔として利用できる。
【００４５】
而して、本実施形態では器体１の後面並びに両側面に適宜形成されるケーブル挿通孔を通して３方向の何れかからケーブル６０を導出することができるものであって、何れの方向へ導出する場合においてもケーブル仮保持部９，１９でケーブル６０を仮保持してボディ２とカバー３の結合を容易に行うことができるものである。
【図面の簡単な説明】
【００４６】
【図１】実施形態１の分解斜視図である。
【図２】同上を示し、（ａ）は正面図、（ｂ）は下面図、（ｃ）は上面図、（ｄ）は右側面図である。
【図３】同上の斜視図である。
【図４】同上のボディとカバーの結合方法を説明する説明図である。
【図５】同上におけるボディの要部を示す斜視図である。
【図６】同上におけるボディの一部省略した断面図である。
【図７】同上におけるボディの背面からみた斜視図である。
【図８】実施形態２のカバーを取り外した状態の平面図である。
【図９】同上のカバーを取り外した状態の斜視図である。
【図１０】実施形態３の分解斜視図である。
【図１１】従来例の分解斜視図である。
【符号の説明】
【００４７】
１  器体
２  ボディ
３  カバー
５  ケーブル挿通孔
９  ケーブル仮保持部
３０  モジュラジャックブロック
【図１】
2005093389.tif 000003
【図２】
2005093389.tif 000004
【図３】
2005093389.tif 000005
【図４】
2005093389.tif 000006
【図５】
2005093389.tif 000007
【図６】
2005093389.tif 000008
【図７】
2005093389.tif 000009
【図８】
2005093389.tif 000010
【図９】
2005093389.tif 000011
【図１０】
2005093389.tif 000012
【図１１】
2005093389.tif 000013